(57)【特許請求の範囲】
【請求項１】
本体に対して開閉可能な画像表示手段と、
前記画像表示手段の枠に配置され、リモコン信号光を透過する受光窓と、
前記画像表示手段を前記本体に閉じたときに、前記受光窓と対面する位置に設置され、外部に開いた凹部
とを具備することを特徴とする電子装置。
【請求項２】
更に、前記凹部の内部に配置され、前記リモコン信号光を透過する透過手段を具備することを特徴とする請求項１に記載の電子装置。
【請求項３】
前記電子装置がビデオカメラであることを特徴とする請求項１又は２に記載の電子装置。
【発明の詳細な説明】
【技術分野】
【０００１】
本発明は、本体に対して開閉可能な画像表示パネルを備える電子装置に関する。
【背景技術】
【０００２】
従来、デジタルスチルカメラ又はビデオカメラ等の画像記録再生装置では、画像モニタの表示画面を確認しながらリモコン操作できるように、リモコン受光窓を画像表示面と同一面に配置することが提案されている（特許文献１参照）。
【０００３】
多くのビデオカメラは、画像表示パネルを２軸回転可能にカメラ本体の側面に取り付ける構成が採用されている。画像表示パネルをカメラ本体から開いた状態では、背面に向けた位置と、前面に向けた位置を選択できる。更に、画像表示パネルの画像表示面をカメラ本体側に向けてカメラ本体に密着させた（収納した）位置、と、画像表示パネルの画像表示面を外側に向けてカメラ本体に密着させた（収納した）位置を選択できる。また、近年は、画像表示パネルに表示される画像を視認しながら、カメラを操作することが多い。
【０００４】
このようは電子装置では、画像表示パネルの開閉動作に連動して、画像表示のオン／オフを制御するようになっている。
【０００５】
図１２は、従来のビデオカメラの、画像表示パネルを開いた状態の斜視図を示す。図１３は、画像表示パネルを閉じた（カメラ本体に収納した）状態の斜視図を示す。
【０００６】
カメラ本体１１０の正面に撮影レンズ１１２が配置されている。カメラ本体１１０の上面にズームスイッチ１１４が配置され、背面には、押圧操作により動画記録のスタート／ストップを指示するトリガーボタン１１６が配置されている。
【０００７】
カメラ本体１１０の側面には、画像表示パネル１１８が、２軸ヒンジ機構１２０によりカメラ本体１１０から開閉可能に取り付けられている。画像表示パネル１１８は、カメラ本体１１０の収納部１２２に収納された収納位置と、カメラ本体１１０から開いた展開位置との間で折り畳み可能である。展開状態では更に、表示面を背面方向に向けた位置と、前方向を向けた位置との間で回転可能である。
【０００８】
２軸ヒンジ機構１２０の近傍に、画像表示パネル１１８が収納状態にあるか展開状態にあるかを検出する開閉検出スイッチ１２４が配置されている。画像表示パネル１１８の支持軸部分の凸部１２６が開閉検出スイッチ１２４を押しているとき、開閉検出スイッチ１２４はオフとなる。凸部１２６が開閉検出スイッチ１２４から離れると、開閉検出スイッチ１２４はオンになる。
【０００９】
画像表示パネル１１８の画像表示面の枠部分には、リモコン受光部が埋め込まれ、リモコン信号光を透過するリモコン受光窓１２８が配置されている。
【００１０】
このように、従来のビデオカメラは、画像表示パネル１１８をカメラ本体１１０に収納した状態では、リモコン受光窓１２８がカメラ本体１１０に覆われ、リモコン操作が出来ない。
【特許文献１】特開２００１−２４９１４号公報
【発明の開示】
【発明が解決しようとする課題】
【００１１】
従来例ではリモコン受光窓を、画像表示パネルの画像表示面と同一面に配置したので、画像表示パネルを閉じた状態では、リモコン操作を利用できない。リモコン操作のためだけに画像表示パネルを開くのは面倒である。しかも、画像表示パネルを開くと、自動的に画像表示装置の電源がオンになる構成の場合、電力を無駄に消費することにもなる。
【００１２】
このような問題は、ビデオカメラに限らない。即ち、本体に対して回動可能な画像表示手段を有し、その画像表示手段の枠にリモコン信号光を透過する受光窓を配置した電子装置一般で問題となる。
【００１３】
本発明は、このような不都合を解消する電子装置を提示することを目的とする。
【課題を解決するための手段】
【００１４】
本発明に係る電子装置は、本体に対して開閉可能な画像表示手段と、前記画像表示手段の枠に配置され、リモコン信号光を透過する受光窓と、前記画像表示手段を前記本体に閉じたときに、前記受光窓と対面する位置に設置され、外部に開いた凹部とを具備することを特徴とする。
【発明の効果】
【００１５】
本発明によれば、画像表示パネルを閉じた状態にある場合にもリモコン操作が可能となる。リモコン操作のために画像表示パネルを開く必要がなくなり、また、画像表示パネルが不必要に電力を消費することもなくなる。
【発明を実施するための最良の形態】
【００１６】
以下、図面を参照して、本発明の実施例を詳細に説明する。
【実施例１】
【００１７】
本発明に係る電子装置の一実施例としてのビデオカメラを説明する。図１は、本発明に係るの一実施例であるビデオカメラの概略構成ブロック図を示し、図２は、本実施例の外観斜視図を示す。
【００１８】
図２を参照して、外観に現れる素子を説明する。カメラ本体１０の正面に撮影レンズ１２が配置されている。カメラ本体１０の上面にズームスイッチ１４が配置され、背面には、押圧操作により動画記録のスタート／ストップを指示するトリガーボタン１６が配置されている。
【００１９】
カメラ本体１０の側面には、画像表示パネル１８が、２軸ヒンジ機構２０によりカメラ本体１０から開閉可能に取り付けられている。画像表示パネル１８は、カメラ本体１０の収納部２２に収納された収納位置と、カメラ本体１０から開いた展開位置との間で折り畳み可能である。展開状態では更に、表示面を背面方向に向けた位置と、前方向を向けた位置との間で回転可能である。このような機能の２軸ヒンジ機構２０自体は周知である。
【００２０】
２軸ヒンジ機構２０の近傍に、画像表示パネル１８が収納状態にあるか展開状態にあるかを検出する開閉検出スイッチ２４が配置されている。画像表示パネル１８の支持軸部分の凸部２６が開閉検出スイッチ２４を押しているとき、開閉検出スイッチ２４はオフとなる。凸部２６が開閉検出スイッチ２４から離れると、開閉検出スイッチ２４はオンになる。図３は、開閉検出スイッチ２４と凸部２６の位置関係を示す断面図であり、同（ａ）は、画像表示パネル１８を閉じた状態（収納状態）を示し、同（ｂ）は、画像表示パネル１８を開いた状態（展開状態）を示す。
【００２１】
画像表示パネル１８の画像表示面の、２軸ヒンジ機構２０から離れた枠部分には、リモコン受光部４８が埋め込まれると共に、リモコン信号光を透過するリモコン受光窓２８が配置されている。収納部２２とカメラ本体１０の背面との間に、背後方向からのリモコン信号光をリモコン受光窓２８に導く凹部３０又は空間を導光手段として形成してある。導光手段としての凹部３０は、図４に示すように、画像表示パネル１８を収納したときに、リモコン受光窓２８と対面する位置に設けられ、背面方向の外部に開いている。図４は、画像表示パネル１８を閉じた状態の外観斜視図を示す。凹部３０により、画像表示パネル１８の収納状態でもリモコン信号光を受光できるようになる。凹部３０と同様の構成を、画像表示パネル１８の側面に設けても、同様に、画像表示パネル１８の収納状態でもリモコン信号光を受光できるようになる。
【００２２】
図１を参照して、本実施例の基本的動作を説明する。ビデオカメラ１０の撮影レンズ１２は、従来のものと同様に、光学レンズ群及び絞りからなり、フォーカス、ズーム及び絞りを制御可能である。撮像素子３２は、撮影レンズ１２による光学像を画像信号に変換する。カメラ信号処理装置３４は、撮像素子３２からの画像信号にガンマ補正、色バランス調整及び色変換等の周知の処理を施す。
【００２３】
圧縮装置３６は、カメラ信号処理装置３４からの画像信号をＭＰＥＧ２又はＨ．２６４等の周知の動画圧縮方式で圧縮符号化し、圧縮画像データを記録再生処理装置３８に供給する。記録再生処理装置３８は、圧縮装置３６からの圧縮画像データを記録媒体４０での記録に適した形態で記録媒体４０に記録再生する。
【００２４】
再生モードでは、記録再生処理装置３８は、記録媒体４０から圧縮画像データを読み出し、圧縮装置３６に対応する伸長装置４２に供給する。伸長装置４２は、記録再生処理装置３８からの圧縮画像データを伸長し、再生画像データを出力する。スイッチ４４は、カメラ信号処理装置３４の出力画像信号又は伸長装置４２から出力される再生画像信号を選択可能であり、選択した画像信号を画像表示装置４６に供給する。画像表示装置４６は画像表示パネル１８に組み込まれている。スイッチ４４がカメラ信号処理装置３４の出力画像信号を選択しているとき、画像表示装置４６の画面には、録画中の被写体画像が表示される。スイッチ４４が伸長装置４２の出力画像信号を選択しているとき、画像表示装置４６の画面には、再生画像が表示される。
【００２５】
受光部４８は、リモコン７０からの制御信号光を受光し、電気信号に変換してＣＰＵ５０に供給する。ＣＰＵ５０は、開閉検出スイッチ２４の検出結果に応じて、電源回路５２を介して画像表示装置４６への電源供給を制御する。即ち、開閉検出スイッチ２４がオン状態である場合に、ＣＰＵ５０は、画像表示パネル１８が開状態であると判断する。この時、ＣＰＵ５０は電源回路５２を制御し、画像表示装置４６への電力供給をオンにする。逆に、開閉検出スイッチ２４がオフ状態の場合、ＣＰＵ５０は、画像表示パネル１８が収納状態であると判断する。この時、ＣＰＵ５０は、電源回路５２を制御し、画像表示装置４６への電力供給をオフにする。
【００２６】
ＣＰＵ５０はまた、使用者による操作部５４の操作に従って、全体を制御する。
【００２７】
凹部３０の形状と作用を詳細に説明する。図５は、本実施例の右側面図を示す。図６は、図５のＡ−Ａ線から見た断面図である。図６に示すように、リモコン受光窓２８の内部にはリモコン受光部４８の受光素子６４が配置されている。画像表示モニタを確認しながらのリモコン操作が可能なように、受光素子６４は、画像表示装置４６の画像表示面の法線方向と一致する向きからの光を受光するように設置されている。画像表示装置４６のバックライト６０の背面側に回路基板６２が配置され、回路基板６２に受光素子６４が接続されている。
【００２８】
図７は、画像表示パネル１８を収納した状態での、リモコン信号光の受光範囲を示す断面図である。凹部３０の内面は、リモコン信号光を反射する反射面としてある。凹部３０によりカメラ本体１０の背面に光透過口が形成される。これにより、カメラ本体１０の背後から画像表示パネル１８側とは反対側に傾いたリモコン装置７０ａからのリモコン信号光は、リモコン受光窓２８から受光素子６４に直接、入射しうる。
【００２９】
また、凹部３０の内面が反射面となっている。これにより、画像表示パネル１８側に傾いたリモコン装置７０ｂからのリモコン信号光は、凹部３０の内面で反射されリモコン受光窓２８を透過して、受光素子６４に入射しうる。
【００３０】
このように、本実施例では、画像表示パネル１８を収納した状態で、リモコン受光部４８にカメラ本体１０の背後からリモコン信号光を入射可能である。更には、カメラ本体１０の背後方向リモコン信号１２５の入射可能な角度は、ビデオカメラ本体１０の背後に対して＋α１°〜−α２°となり、広い範囲からのリモコン信号光を受光できる。
【００３１】
画像表示パネル１８を収納した状態でリモコン操作が可能となるので、リモコン操作のためだけに画像表示パネル１８を開く必要がなくなる。画像表示装置４６を電源オン状態にしなくて済み、電力消費を低減できる。
【００３２】
また、使用者が撮影中の画像を画像表示装置４６の画面で確認したり、再生画像を確認する場合、画像表示パネル１８をカメラ本体１０から開いた状態にする必要がある。凹部３０による空間は、使用者が画像表示パネル１８を開く際の指掛かりにもなる。図８は、使用者が収納状態の画像表示パネル１８を開くために、凹部３０の空間に指を掛けた状態の斜視図を示す。図９は、画像表示パネル１８が若干、開いた状態の斜視図を示す。図８に示すように凹部３０となる凹みに指を挿入し、図９に矢印Ｂで示す方向に画像表示パネル１８を押すことで、容易に画像表示パネル１８を開くことができる。
【実施例２】
【００３３】
実施例１では、凹部３０内を空間としたが、透光手段を充填した構成であってもよい。図１０は、そのように変更した実施例２の概略構成ブロック図を示す。上述の実施例１に示す構成要素と同じ構成要素には、同じ符号を付してある。凹部３０内にリモコン信号光を透過する透光手段６８を装填した。透光手段６８は例えば、アクリルからなる。
【００３４】
図１１は、本実施例の、画像表示パネル１８を収納した状態での、リモコン信号光の受光範囲を示す断面図である。凹部３０内に透光手段６８を装填したことにより、リモコン受光窓２８に入射可能な角度範囲が、実施例１よりも広くなる。即ち、カメラ本体１０の背後から画像表示パネル１８側とは反対側に傾いたリモコン装置７０ｃの角度β１が、実施例１のα１より大きくなる。同様に、カメラ本体１０の背後から画像表示パネル１８側に傾いたリモコン装置７０ｄの角度β２が、実施例１のα２より大きくなる。
【図面の簡単な説明】
【００３５】
【図１】本発明の一実施例の概略構成ブロック図である。
【図２】本実施例の外観斜視図である。
【図３】本実施例の画像表示パネルの開閉を検知する機構を示す断面図である。
【図４】本実施例の画像表示パネルを閉じた状態の斜視図である。
【図５】本実施例の右側面図である。
【図６】図５のＡ-Ａから見た断面図である。
【図７】本実施例のリモコン受光範囲を示す断面図である。
【図８】本実施例の画像表示パネルを開けるために凹部に指を掛けた状態を示す斜視図である。
【図９】本実施例の画像表示パネルを少し開けた状態の斜視図である。
【図１０】本発明の別の実施例の外観斜視図である。
【図１１】図１０に示す実施例のリモコン受光範囲を示す断面図である。
【図１２】従来のビデオカメラの、画像表示パネルを開いた状態の斜視図である。
【図１３】従来のビデオカメラの、画像表示パネルを閉じた状態の斜視図である。
【符号の説明】
【００３６】
１０：カメラ本体
１２：撮影レンズ
１４：ズームスイッチ
１６：トリガーボタン
１８：画像表示パネル
２０：２軸ヒンジ機構
２２：収納部
２４：開閉検出スイッチ
２６：凸部
２８：リモコン受光窓
３０：凹部（導光手段）
３２：撮像素子
３４：カメラ信号処理装置
３６：圧縮装置
３８：記録再生処理装置
４０：記録媒体
４２：伸長装置
４４：スイッチ
４６：画像表示装置
４８：受光部
５０：ＣＰＵ
５２：電源回路
５４：操作部
６０：バック来と
６２：回路基板
６４：受光素子
６８：透光手段
７０、７０ａ、７０ｂ、７０ｃ、７０ｄ：リモコン装置
１１０：カメラ本体
１１２：撮影レンズ
１１４：ズームスイッチ
１１６：トリガーボタン
１１８：画像表示パネル
１２０：２軸ヒンジ機構
１２２：収納部
１２４：開閉検出スイッチ
１２６：凸部
１２８：リモコン受光窓
【図１】
0004948454.tif 000002
【図２】
0004948454.tif 000003
【図３】
0004948454.tif 000004
【図４】
0004948454.tif 000005
【図５】
0004948454.tif 000006
【図６】
0004948454.tif 000007
【図７】
0004948454.tif 000008
【図８】
0004948454.tif 000009
【図９】
0004948454.tif 000010
【図１０】
0004948454.tif 000011
【図１１】
0004948454.tif 000012
【図１２】
0004948454.tif 000013
【図１３】
0004948454.tif 000014